(57)【要約】【課題】折り畳み傘翻り防止傘骨を提供する。【解決手段】折り畳み傘翻り防止傘骨は、内主骨、内接続骨、中主骨および支持骨を含み、該内主骨外端は、中主骨内端とリベット接続して第１リベット点を形成し、該内主骨外端および中主骨内端とリベット接続して第１リベット点を形成し、該内主骨は、第１リベット点の内側に位置決め部を設け、該内接続骨の外端又は外端近傍に位置決め部と適合する嵌合部を設け、傘骨が展開される時、該嵌合部は、該位置決め部と同期して嵌合状態を形成し、該内主骨及び該中主骨に剛性体を形成させることに用いられ、該中主骨が上向きに翻る状況を回避し、構造が簡単で、製造に便利で、安全に使用でき、寿命が長く、翻りを防止する等の利点を有する。【選択図】図２Ａ
2018102919.tif 000002
【特許請求の範囲】
【請求項１】
内主骨、内接続骨、中主骨および支持骨を含み、該内主骨内端は、中棒上に設置する上ろくろと接続し、該内主骨外端は、中主骨内端とリベット接続して第１リベット点を形成し、該支持骨内端は、中棒に設ける下ろくろと接続し、該支持骨外端は、内主骨の中部とリベット接続して第２リベット点を形成し、該支持骨の外端近傍は、中主骨内端との間に内接続骨を設け、該内接続骨内端は、支持骨の外端近傍とリベット接続して第３リベット点を形成し、該内接続骨外端は、中主骨内端とリベット接続して第４リベット点を形成し、そのうち、傘骨が展開状態にある時、該第４リベット点は、該第１リベット点の内側に位置する折り畳み傘翻り防止傘骨であり、
該内主骨において、該第１リベット点の内側に位置決め部を設け、該内接続骨に位置決め部と適合する嵌合部を設け、傘骨が展開される時、該嵌合部は、該位置決め部と同期して嵌合状態を形成し、該内主骨及び該中主骨に剛性体を形成させ、該第４リベット点が該第１リベット点を回るように又は相対して下向きに回転し、該中主骨が該内主骨に対して上向きに翻る状況を回避することを特徴とする折り畳み傘翻り防止傘骨。
【請求項２】
前記嵌合部は、該内接続骨の外端に設けられることを特徴とする請求項１に記載の折り畳み傘翻り防止傘骨。
【請求項３】
前記嵌合部は、該内接続骨の外端近傍に設けられ、該接続骨の外端から一定距離だけ離れることを特徴とする請求項１に記載の折り畳み傘翻り防止傘骨。
【請求項４】
前記位置決め部は、該内主骨上に固定するリベットであり、該嵌合部は、該内接続骨に設けられる位置決めフック又は位置決め溝であることを特徴とする請求項１に記載の折り畳み傘翻り防止傘骨。
【請求項５】
前記内接続骨は、ブロック板で形成される一体成形構造であるか、２つのブロック板の首尾が貼合され、且つ中部に隙間を残した貼合構造であるか、丸棒で形成される一体成形構造であるか、２つのブロック板の首尾が貼合され、且つ中部に隙間を残し、１つのブロック板が２つのブロック板の尾端に結合した組み合わせ構造であることを特徴とする請求項１に記載の折り畳み傘翻り防止傘骨。
【請求項６】
前記位置決め部は、内主骨内に位置し、該位置決め部は、内主骨および中主骨の該第１リベット点と一定の距離だけ離れていることを特徴とする請求項１に記載の折り畳み傘翻り防止傘骨。
【請求項７】
前記位置決め部の横断面は、円形、楕円形又は細長円形であることを特徴とする請求項１に記載の折り畳み傘翻り防止傘骨。
【請求項８】
前記内接続骨は、該中主骨とリベット接続する該第４リベット点に細長円形リベット孔を設け、該細長円形リベット孔は、該嵌合部の外側に位置することを特徴とする請求項１に記載の折り畳み傘翻り防止傘骨。
【請求項９】
前記位置決め部は、該内主骨に設けられる活動可能な位置決め部であり、該内主骨の両側壁にそれぞれ細長スロットを設け、該活動可能な位置決め部を収容させ、且つ該活動可能な位置決め部は、復位バネを設け、該嵌合部を該位置決め部と嵌合状態を形成させる過程に用い、該活動可能な位置決め部は、該嵌合部に対して位置を弾性調節できることを特徴とする請求項１に記載の折り畳み傘翻り防止傘骨。
【請求項１０】
前記折り畳み傘は、自動開閉傘、自動オープン傘、自動クローズ傘、手動開閉傘を含むことを特徴とする請求項１乃至請求項９の何れか１つに記載の折り畳み傘翻り防止傘骨。
【発明の詳細な説明】
【技術分野】
【０００１】
本発明は、折り畳み傘の技術領域に関し、特に、折り畳み傘翻り防止傘骨に関する。
【背景技術】
【０００２】
傘具は、人々の日常生活用品となっており、涼しい環境を提供し、風雨を遮蔽し、日光を遮断するツールであり、長らく人々に愛用され、特に、自動開閉傘、自動オープン傘、自動クローズ傘、又は手動開閉傘などの折り畳み傘は、折り畳んで置くことができ、携帯に便利であり、現在使用者が非常に多くなっている。現有の折り畳み傘は、一般にいずれも傘柄、傘尾、中棒、上ろくろ、下ろくろ、内主骨、中主骨、支持骨、内接続骨、外円骨、ビーズ及び傘布等の部材を含み、そのうち、本発明の折り畳み傘翻り防止傘骨構造と関連する主要部材は、それに制限するものではないが図１５に示すようであり、内主骨１、内接続骨２、中主骨３および支持骨４を含み、該内主骨１内端は、中棒に設置した上ろくろと接続し、該内主骨１外端は、中主骨３内端とリベット接続し、該支持骨４内端は、中棒に設置される下ろくろと接続し、該支持骨４外端は、内主骨１の中部とリベット接続し、該支持骨４の外端近傍は、中主骨３内端との間に内接続骨２を設け、該内接続骨２内端は、支持骨４の外端近傍とリベット接続し、該内接続骨２外端は、中主骨３内端とリベット接続する。
【０００３】
しかしながら、折り畳み傘は、使用中に瞬間的な大きな逆風に遭う時、図１５中の矢印Ｃに示すように、従来の折り畳み傘の傘骨が容易に上向きに屈曲して傘骨の翻りを招き（即ち、上向き逆向きに翻る）、図１５Ａ中の矢印Ｂに示すように、該中主骨３が該内主骨１に対して上向きに翻り、傘を支持して雨を遮る効果を失い、且つ同時に容易に傘骨が変形屈曲して損壊を招き、折り畳み傘の使用寿命に影響を及ぼす。
【先行技術文献】
【特許文献】
【０００４】
【特許文献１】特開２００２−２２３８２８号公報
【発明の概要】
【発明が解決しようとする課題】
【０００５】
本発明の目的は、内主骨上に位置決め部を設け、内接続骨の外端上又は外端近傍に該位置決め部と互いに適合する嵌合部を設け、傘骨の展開時、該嵌合部は、該位置決め部と嵌合状態を形成し、該内主骨を中主骨と剛性体として結合させ、該中主骨が上向きに翻ることを回避することに用いる。
【課題を解決するための手段】
【０００６】
本発明は、以下の技術案により実現することができる。内主骨、内接続骨、中主骨および支持骨を含み、該内主骨内端は、中棒上に設置する上ろくろと接続し、該内主骨外端は、中主骨内端とリベット接続して第１リベット点を形成し、該支持骨内端は、中棒に設ける下ろくろと接続し、該支持骨外端は、内主骨の中部とリベット接続して第２リベット点を形成し、該支持骨の外端近傍は、中主骨内端との間に内接続骨を設け、該内接続骨内端は、支持骨の外端近傍とリベット接続して第３リベット点を形成し、該内接続骨外端は、中主骨内端とリベット接続して第４リベット点を形成し、そのうち、傘骨が展開状態にある時、該第４リベット点は、該第１リベット点の内側に位置し、該内主骨は、第１リベット点の内側に位置決め部を設け、該内接続骨の外端又は外端近傍に位置決め部と適合する嵌合部を設け、傘骨が展開される時、該嵌合部は、該位置決め部と同期して嵌合状態を形成し、該内主骨及び該中主骨に剛性体を形成させることに用いられ、該第４リベット点が該第１リベット点の周りを下向きに回転し（図１５Ａ中の矢印Ｂに示すとおり）、該中主骨が該内主骨に対して上向きに翻る状況を回避し、構造が簡単で、製造に便利で、安全に使用でき、寿命が長く、翻りを防止する等の利点を有する。
【０００７】
更に、該嵌合部は、該内接続骨の外端に設けられる。
【０００８】
更に、該嵌合部は、該内接続骨の外端近傍に設けられる。
【０００９】
更に、該内接続骨は、ブロック板で形成される一体成形構造であるか、２つのブロック板の首尾が貼合され、且つ中部に隙間を残した貼合構造であるか、丸棒で形成される一体成形構造であるか、２つのブロック板の首尾が貼合され、且つ中部に隙間を残し、１つのブロック板が２つのブロック板の外端に結合した組み合わせ構造である。
【００１０】
更に、該位置決め部は、内主骨内に位置し、該位置決め部は、内主骨および中主骨の該第１リベット点と一定の距離だけ離れている。
【００１１】
更に、該位置決め部の横断面は、円形、楕円形又は細長円形であり、該位置決め部の形状は、必要に応じて円形柱状、楕円形柱状又は細長円形柱状であることができる。
【００１２】
更に、該内接続骨は、該中主骨とリベット接続する該第４リベット点に細長円形リベット孔を設け、該細長円形リベット孔の設置により、傘骨に展開又は折り畳みの過程において、該内接続骨が実際の必要に応じて位置を自己調節できるようにし、該嵌合部が位置決め部に入ることができるように確保し、位置決め部をフックし、傘骨構造が接続する安定性を確保する。
【００１３】
更に、該細長円形リベット孔は、嵌合部の外側に位置し、細長円形リベット孔が外部に設置されることは、嵌合部が位置決め部をフックできるように確保し、傘骨構造の接続安定性を確保する。
【００１４】
更に、該位置決め部は、復位バネを設け、該位置決め部を該嵌合部と嵌合状態を形成させる過程に用い、該嵌合部に対して位置調節機能を持たせることができ、それにより、傘オープン及び傘クローズの操作の信頼性を向上させる。
【００１５】
更に、該内主骨および内接続骨の間に折り畳み復位バネを設け、該内主骨内にバネ柱を設け、該バネ柱は、位置決め部の内側に位置し、該内接続骨上にバネフックを設け、該バネフックは、内接続骨の首端から一定距離だけ離れ、該折り畳み復位バネの一端は、フックバネにフックし、他端は、バネ柱にフックする。傘骨過程において、折り畳み復位バネの作用により、傘骨に快速自動折り畳み傘クローズさせる。
【００１６】
更に、該中主骨の末端は、円骨関節は、外円骨と接続する。
【００１７】
更に、該内主骨末端は、円骨関節との間に中連結骨を設け、該中主骨中部は、中連結骨を係止する係止柱を設け、該中連結骨の一端は、フックによって内主骨と接続し、他端は、係止柱および中主骨の間を通過した後に円骨関節首端に回転して接続する。
【００１８】
更に、該折り畳み傘は、自動開閉傘、自動オープン傘、自動クローズ傘、手動開閉傘を含む。
【発明の効果】
【００１９】
本発明の折り畳み傘翻り防止傘骨構造及びその加工方法は、以下の有益効果を有する。第１、構造が簡単で、製造に便利であり、本発明の折り畳み傘翻り防止傘骨構造は、内主骨内に位置決め部を設置し、該内接続骨の外端又は外端近傍に該位置決め部と適合する嵌合部を設け、それは、コストを増加させない基礎において、傘骨構造に翻り防止機能を実現させ、その構造が簡単で、製造が便利である。第２、翻り防止機能、使用の安全性を有し、使用者の体験が良好である。第３、傘骨構造の接続が安定し、使用寿命が長く、内接続骨上の細長円形リベット孔の設置は、傘骨に展開又は折り畳み過程において内接続骨が実際の要求に応じて位置の自己調節を行わせ、嵌合部が位置決め部に入ることができ、位置決め部にフックするよう確保し、傘骨構造の接続の安定性を確保する。
【図面の簡単な説明】
【００２０】
【図１】本発明の第１実施例（嵌合部は、接続骨の外端に設けられる）内の接続骨上の嵌合部が内主骨上の位置決め部に入る準備をする状態説明図である。
【図１Ａ】図１の局部拡大説明図である。
【図２】図１の内接続骨上の嵌合部が位置決め部に進入し内主骨および中主骨に剛性体を形成させる状態説明図である。
【図２Ａ】図２の局部拡大説明図である。
【図３】傘骨の分解立体説明図である。
【図４】本発明の自動開閉傘に応用したオープン状態の説明図である。
【図４Ａ】図４の局部拡大説明図である。
【図５】図４の局部拡大説明図である。
【図６】図４の瞬間的逆風に遭った時の状態説明図である。
【図６Ａ】図６の局部拡大説明図である。
【図７】本発明の内接続骨の構造説明図である。
【図８】本発明の内接続骨の構造説明図である。
【図９】本発明の内接続骨の構造説明図である。
【図１０】本発明の内接続骨の構造説明図である。
【図１１】本発明の第２実施例（嵌合部は、接続骨の外端近傍箇所に設けられる）内接続骨の構造説明図である。
【図１２】本発明の第２実施例（嵌合部は、接続骨の外端近傍箇所に設けられる）内接続骨上の嵌合部が内主骨上の位置決め部に進入する状態説明図である。
【図１３】図１２中の内接続骨上の嵌合部が位置決め部に進入し、内主骨および中主骨に剛性体を形成させる状態説明図である。
【図１４】本発明中の位置決め部に復位バネを設けた構造説明図である。
【図１５】従来の傘具の瞬間的逆風に遭って容易に翻る状態説明図である。
【図１５Ａ】図１５の局部拡大図である。
【発明を実施するための形態】
【００２１】
図１〜図１１を参考し、それは、本発明の折り畳み傘翻り防止傘骨の第１実施例を説明するものであり、該嵌合部８は、該内接続骨２の外端上に設けられる。本第１実施例の折り畳み傘翻り防止傘骨構造は、自動開閉傘への応用を例として説明し、本発明を制限するものではなく、即ち、該折り畳み傘は、自動開閉傘、自動オープン傘、自動クローズ傘、手動開閉傘に応用することができる。また、以下の説明において、「内」は、傘具中棒の一側に向くことを指し、「外」は、傘具中棒から離れる反対側を指す。
【００２２】
本第１実施例は、内主骨１、内接続骨２、中主骨３および支持骨４を含み、該内主骨１内端は、中棒に設置した上ろくろ５と接続し、該内主骨１外端は、中主骨３内端とリベット接続して第１リベット点３ａを形成し、該支持骨４内端は、中棒上に設置した下ろくろ６と接続し、該支持骨４外端は、内主骨１の中部とリベット接続して第２リベット点３ｂを形成し、該支持骨４の外端近傍は、中主骨３内端との間に内接続骨２を設け、該内接続骨２内端は、支持骨４の外端近傍とリベット接続して第３リベット点３ｃを形成し、該内接続骨２外端は、中主骨３内端とリベット接続して第４リベット点３ｄを形成し、傘骨が展開状態にある時、該第４リベット点３ｄは、該第１リベット点３ａの内側に位置する。
【００２３】
本発明の主な特徴は、該内主骨１は、リベット点３ａの内側は、位置決め部７を設け、該内接続骨２上に該位置決め部７と適合する嵌合部８を設け、傘骨の展開時、該嵌合部８は、同期して該位置決め部７と嵌合状態を形成し、内主骨１および該中主骨３に剛性体として結合させることに用い、該第４リベット点３ｄが該第１リベット点３ａを回って又は相対して下向きに回転することを防止し、該中主骨３の該内主骨１に対して上向きに翻ることを回避する。
【００２４】
本第１実施例において、該内主骨１は、該第１リベット点３ａの内側に位置決め部７を設け、該内接続骨２の外端に該位置決め部７と適合する嵌合部８を設ける。傘骨の展開時、該嵌合部８は、位置決め部７と同期して嵌合状態を形成し、例えば、傘骨展開過程において、該支持骨４は上向きに開き、図１、図２中の矢印４に示すようであり、内接続骨２上の嵌合部８は、位置決め部７を嵌合し、図２、図２Ａに示すように、この時、傘具が瞬間的逆風に遭う時、図６中の矢印Ｃに示すように、嵌合部８は、位置決め部７に嵌合していることにより、この時、該内主骨１は、該中主骨３と剛性体として結合し、該中主骨３に該内主骨１に対して翻りを発生することがないようにし、翻り防止効果を達成する。この時、瞬間的逆風は、上向きに噴き動かされる円骨関節１３および外円骨１４に沿って外向きに誘導排出でき（図６の矢印Ｃに示す）、雨を遮る効果に影響を及ぼすことがない。また、該設定部７は、内主骨１内に位置し、且つ該位置決め部７は、内主骨１及び中主骨３の該第１リベット点３ａと一定距離だけ離れ、従って、嵌合部８は、位置決め部７を嵌合した後、該第１リベット点３ａに対して比較的強いレバー力を発生し、中主骨３の上向き翻りの反作用力を増加し、中主骨３の上向きの翻りを防止する効果を向上する。
【００２５】
また、該内接続骨２の構造形態は、制限せず、例えば、図７に示すようなブロック板からなる一体成形構造、または図８に示すような２つのブロック板の首尾を貼合し且つ中部に隙間を残す構造、または図９に示すような丸棒材からなる一体形成構造、または図１０に示すような２つのブロック板の首尾を貼合し且つ中部に隙間を残し、１つのブロック板が２つのブロック板の外端に結合した組み合わせ構造であることができ、このように、傘骨構造又は製造の多様性を増加させることができる。
【００２６】
また、該内接続骨２は、と中主骨３リベット接続する位置、即ち、該内接続骨２の第４リベット点３ｄは、細長円形リベット孔９を設け、図１Ａ、図２Ａ及び図７〜図１０に示すようであり、且つ該内接続骨２において、該細長円形リベット孔９は、嵌合部８の外側に位置し、従って、該細長円形リベット孔９の設置によって、傘骨を展開又は折り畳みの過程で図４〜図５に示すように、内接続骨２が実際の必要に応じて位置を自己調節することができ、即ち、該内接続骨２は、第４リベット点３ｄに対して内外方向の移動を発生し、その一方で嵌合部８が位置決め部７に徐々に進入し、位置決め部７をフックするように確保し、傘骨構造の接続の安定を確保し、展開時、翻りを発生せず、もう一方で、内接続骨２及び中主骨３のリベット接続箇所（即ち、第４リベット点３ｄ）の柔軟性を保証し、該箇所の受力を減少し、折り畳み傘の使用寿命を有効に向上する。
【００２７】
図１１〜図１３を参考とし、それは、本発明の折り畳み傘翻り防止傘骨の第２実施例を説明することに用いられる。本第２実施例および第１実施例の間の主な差異は、以下にある。該嵌合部８ａは、該内接続骨２の外端近傍に設けられ、図１１に示すようであり、即ち、該嵌合部８が該内接続骨２上に設けられる位置は、該内接続骨２の外端（即ち、第４リベット点３ｄ又は細長円形リベット孔９）から一定距離だけ離れ、当然ながら、本第２実施例において、該内主骨１が該第１リベット点３ａの内側に設けられる位置決め部７の位置も該内主骨１の外端（即ち、第１リベット点３ａ）から一定距離だけ離れ、該嵌合部８ａに傘骨展開時に該位置決め部７と同期して嵌合状態を形成させ、例えば、傘骨展開過程において、内接続骨２上の嵌合部８ａが内主骨１上の位置決め部７に徐々に入る又は準備し、図１２に示すようであり、最後に傘骨展開完成時に嵌合部８ａが位置決め部７に嵌合しており、図１３に示すようであり、この時、傘骨が瞬間的逆風に遭う時、図６中の矢印Ｃに示すようである時、嵌合部８ａは、位置決め部７に嵌合してリ、傘骨が翻ることができず、第１実施例の翻り防止効果を達成する。
【００２８】
また、該位置決め部７の横断面は、円形、楕円形又は細長円形であり、例えば、リベットにより形成するが、これに制限するものではなく、内主骨１上に機械加工方法によりフック状位置決め部７（図示せず）を形成することもできる。また、該嵌合部８は、該位置決め部７と対応して嵌合可能な位置決めフック又は位置決め溝を形成するが、本発明をこれに制限するものではない。
【００２９】
また、自動開閉傘（又は自動クローズ傘）は、図３〜図５に示すように、該内主骨１及び内接続骨２の間は、折り畳み傘のバネ１０を設け、該内主骨１内にバネ柱１１を設け、但しこれに制限するものではなく、該バネ柱１１は、位置決め部７の内側に位置し、該内接続骨２上にバネフック１２を設け、該バネフック１２は、内接続骨２内端と一定距離だけ離れ、該折り畳み傘のバネ１０の一端は、バネフック１２にフックされ、他端は、バネ柱１１にフックされ、傘クローズの過程において、折り畳み傘のバネ１０の作用において、傘具は、迅速に折り畳み傘クローズでき、使用に便利である。該中主骨３の外端は、円骨関節１３とリベット接続し、該円骨関節１３は、外円骨１４と接続する。該内主骨１末端は、円骨関節１３との間に中連結骨１５を設け、該中主骨３中部に中連結骨１５を係止する係止柱１６を設け、該中連結骨１５の一端は、フック１７によって内主骨２と接続し、他端は、係止柱１６及び中主骨３の間を通過した後、円骨関節１３内端と回転して接続する。
【００３０】
また、該位置決め部７は、活動可能な位置決め部７を更に設計し、図１６に示すように、該内主骨１の両側壁にそれぞれ細長スロット２０として機械加工し、活動可能な円柱型位置決め部７（例えば、リベット）を収容させ、該活動可能な位置決め部７に対して復位バネ１８を設け、図１４に示すような線型復位バネ１８であり、但しこれに制限するものではなく、線型復位バネ１８を該内主骨１内部の位置決め点１９上に固定させるが、但し固定方式をこれに制限するものではない。該復位バネ１８は、成型時に設定されたオープン角度を有し、受力が該オープン角度を圧縮する時、該復位バネ１８は、反作用力を相対して発生し、該活動可能な位置決め部７の復位弾性力とさせ、図１４中の矢印Ｄに示すようであり、このように、該嵌合部８（８ａ）を該位置決め部７と嵌合状態を形成する過程において、該活動可能な位置決め部７が該嵌合部８（８ａ）に対して位置の弾性調節機能を発生でき、傘オープン及び傘クローズ操作の信頼性を向上する。
【００３１】
上述の説明は、本発明の技術特徴を示す好適な実施形態を説明したものである。当業者は、本発明の主旨を逸脱しない範囲において変更および修飾を行うことができ、これらの変更および修飾は、本発明の特許請求の範囲に含まれる。
【符号の説明】
【００３２】
１  内主骨
２  内接続骨
３  中主骨
３ａ  第１リベット点
３ｂ  第２リベット点
３ｃ  第３リベット点
３ｄ  第４リベット点
４  支持骨
５  上ろくろ
６  下ろくろ
７  位置決め部
８  嵌合部
８ａ  嵌合部
９  細長円形リベット孔
１０  折り畳み復位バネ
１１  バネ柱
１２  バネフック
１３  円骨関節
１４  外円骨
１５  中連結骨
１６  係止柱
１７  フック
１８  復位バネ
１９  位置決め点
２０  細長スロット
【図１】
2018102919.tif 000003
【図１Ａ】
2018102919.tif 000004
【図２】
2018102919.tif 000005
【図２Ａ】
2018102919.tif 000006
【図３】
2018102919.tif 000007
【図４】
2018102919.tif 000008
【図４Ａ】
2018102919.tif 000009
【図５】
2018102919.tif 000010
【図６】
2018102919.tif 000011
【図６Ａ】
2018102919.tif 000012
【図７】
2018102919.tif 000013
【図８】
2018102919.tif 000014
【図９】
2018102919.tif 000015
【図１０】
2018102919.tif 000016
【図１１】
2018102919.tif 000017
【図１２】
2018102919.tif 000018
【図１３】
2018102919.tif 000019
【図１４】
2018102919.tif 000020
【図１５】
2018102919.tif 000021
【図１５Ａ】
2018102919.tif 000022